(57)【要約】    【課題】      移動局の送信信号による他の電子機器への障害を防止することができる移動通信システム及び送信電力制御方法を提供すること。    【解決手段】  本発明の移動通信システム１００は、無線基地局１２０と、無線基地局１２０に対して無線で通信を行う移動局１３０と、を具備している。無線基地局１２０は、移動局１３０に対して送信電力上限値を通知する送信電力上限値通知部１２１を具備している。移動局１３０は、無線基地局１２０の送信電力上限値通知部１２１からの前記送信電力上限値に基づいて送信電力値が当該送信電力上限値を越えないように前記送信電力値を制御する無線送信部２１１を具備する。  【選択図】      図１
2006262158.tif 000002
【特許請求の範囲】
【請求項１】
無線基地局と、前記無線基地局に対して無線で通信を行う移動局と、を具備する移動通信システムにおいて、
前記無線基地局は、前記移動局に対して送信電力上限値を通知する送信電力上限値通知手段を具備し、
前記移動局は、前記無線基地局からの前記送信電力上限値に基づいて送信電力値が当該送信電力上限値を越えないように前記送信電力値を制御する送信電力値制御手段を具備することを特徴とする移動通信システム。
【請求項２】
無線基地局と、前記無線基地局に対して無線で通信を行う移動局と、を具備し、前記無線基地局は、前記移動局に対して送信電力上限値を通知する送信電力上限値通知手段を具備する移動通信システムにおける移動局であって、
前記無線基地局からの前記送信電力上限値に基づいて送信電力値が当該送信電力上限値を越えないように前記送信電力値を制御する送信電力値制御手段を具備することを特徴とする移動局。
【請求項３】
無線基地局と、前記無線基地局に対して無線で通信を行う移動局と、を具備し、前記移動局は、前記無線基地局からの送信電力上限値に基づいて送信電力値が当該送信電力上限値を越えないように前記送信電力値を制御する送信電力値制御手段を具備する移動通信システムにおける無線基地局であって、
前記無線基地局は、前記移動局に対して前記送信電力上限値を通知する送信電力上限値通知手段を具備することを特徴とする無線基地局。
【請求項４】
無線基地局と、前記無線基地局に対して無線で通信を行う移動局と、を具備する移動通信システムにおける送信電力制御方法であって、
前記無線基地局が前記移動局に対して送信電力上限値を通知する送信電力上限値通知ステップと、
前記移動局が前記無線基地局からの前記送信電力上限値に基づいて送信電力値が当該送信電力上限値を越えないように前記送信電力値を制御する送信電力値制御ステップと、
を具備することを特徴とする送信電力制御方法。
【発明の詳細な説明】
【技術分野】
【０００１】
本発明は、無線基地局と、この無線基地局に対して無線で通信を行う移動局と、を具備する移動通信システム及び移動通信システムにおける送信電力制御方法に関する。
【背景技術】
【０００２】
従来の移動通信システムとして、特許文献１に記載されたものがある。この従来の移動通信システムは、無線基地局で受信される電力を最適化するために送信電力制御を行っている。この従来の移動通信システムは、具体的には、移動局の電池の蓄電残量が少なくなった時に送信電力制御範囲の上限値を低下させることにより消費電力を削減する。また、この時に移動局が無線基地局との通信に必要な送信電力が確保できない場合には、従来の移動通信システムは、サービス品質（例えば、データレート）を低下させて通信を維持して、移動局の電池の蓄電残量が少なくなった時に電池の蓄電残量が無くなること（電池切れ）を防止している。  
【特許文献１】特開２００３−３０９５１６号公報
【発明の開示】
【発明が解決しようとする課題】
【０００３】
しかしながら、従来の移動通信システムにおいては、病院等のような施設において移動局（携帯電話機）の送信信号（電波）により他の電子機器に障害を与えることを防止することができないという問題がある。
【０００４】
本発明は、かかる点に鑑みてなされたものであり、移動局の送信信号により他の電子機器に障害を与えることを防止することができる移動通信システム及び送信電力制御方法を提供することを目的とする。
【課題を解決するための手段】
【０００５】
本発明の第１のものに係る移動通信システムは、無線基地局と、前記無線基地局に対して無線で通信を行う移動局と、を具備する移動通信システムにおいて、前記無線基地局は、前記移動局に対して送信電力上限値を通知する送信電力上限値通知手段を具備し、前記移動局は、前記無線基地局からの前記送信電力上限値に基づいて送信電力値が当該送信電力上限値を越えないように前記送信電力値を制御する送信電力値制御手段を具備する構成を採る。
【０００６】
本発明の第２のものに係る移動局は、無線基地局と、前記無線基地局に対して無線で通信を行う移動局と、を具備し、前記無線基地局は、前記移動局に対して送信電力上限値を通知する送信電力上限値通知手段を具備する移動通信システムにおける移動局であって、前記無線基地局からの前記送信電力上限値に基づいて送信電力値が当該送信電力上限値を越えないように前記送信電力値を制御する送信電力値制御手段を具備する構成を採る。
【０００７】
本発明の第３のものに係る無線基地局は、無線基地局と、前記無線基地局に対して無線で通信を行う移動局と、を具備し、前記移動局は、前記無線基地局からの送信電力上限値に基づいて送信電力値が当該送信電力上限値を越えないように前記送信電力値を制御する送信電力値制御手段を具備する移動通信システムにおける無線基地局であって、前記無線基地局は、前記移動局に対して前記送信電力上限値を通知する送信電力上限値通知手段を具備する構成を採る。
【０００８】
本発明の第４のものに係る送信電力制御方法は、無線基地局と、前記無線基地局に対して無線で通信を行う移動局と、を具備する移動通信システムにおける送信電力制御方法であって、前記無線基地局が前記移動局に対して送信電力上限値を通知する送信電力上限値通知ステップと、前記移動局が前記無線基地局からの前記送信電力上限値に基づいて送信電力値が当該送信電力上限値を越えないように前記送信電力値を制御する送信電力値制御ステップと、を具備するようにした。
【発明の効果】
【０００９】
本発明によれば、移動局は無線基地局からの通知される送信電力上限値に基づいて送信電力値が当該送信電力上限値を越えないように前記送信電力値を制御するため、移動局の送信信号により他の電子機器に障害を与えることを防止することができる。
【発明を実施するための最良の形態】
【００１０】
次に、本発明の実施の形態について、図面を参照して詳細に説明する。
【００１１】
（実施の形態１）
図１は、本発明の実施の形態１に係る移動通信システムの構成を示すブロック図である。
【００１２】
図１に示すように、本発明の実施の形態１に係る移動通信システム１００は、無線基地局制御装置１１０と、複数の無線基地局１２０と、無線基地局１２０に対して無線で通信を行う複数の移動局１３０と、を具備する。無線基地局制御装置１１０は、複数の無線基地局１２０を制御する。
【００１３】
無線基地局１２０は、移動局１３０に対して送信電力上限値を通知する送信電力上限値通知部１２１を具備している。送信電力上限値通知部１２１は、例えば、既知チャネル｛ＢＣＣＨ（Broadcast Control Channel）｝に送信電力上限値をのせて移動局１３０に対して通知する。また、無線基地局１２０は、既知チャネルに無線基地局１２０における既知チャネル又は他の既知チャネルの送信電力値及び所要の受信電力値を移動局１３０に対して通知する。移動局１３０は、無線基地局１２０から通知される送信電力値及び所要の受信電力値に基づいて送信電力初期値を算出する。さらに、無線基地局１２０は、移動局１３０に送信電力の増減を指示する情報を有するＴＰＣビットを移動局１３０に対して送信する。ここで、無線基地局１２０は、病院等のような施設があるエリアを通信エリアとする特定のエリアに設置されている。
【００１４】
次に、本発明の実施の形態１に係る移動通信システム１００の移動局１３０について、詳細に説明する。図２は、本発明の実施の形態１に係る移動通信システム１００の移動局１３０の構成を詳細に示すブロック図である。
【００１５】
図２に示すように、移動局１３０は、アンテナ２０１、共用器２０２、無線受信部２０３、復調部２０４、復号化部２０５、メッセージ解析部２０６、出力部２０７、送信信号生成部２０８、符号化部２０９、変調部２１０及び無線送信部２１１を具備している。
【００１６】
アンテナ２０１は、無線基地局１２０からの無線送信信号を受けて受信信号を生成して共用器２０２に与える。共用器２０２は、アンテナ２０１からの受信信号を無線受信部２０３に与える。無線受信部２０３は、アンテナ２０１からの受信信号を共用器２０２を介して受けて受信信号に所定の受信処理をして受信処理後の受信信号を復調部２０４に与える。
【００１７】
復調部２０４は、無線受信部２０３からの受信信号を復調して復調信号を生成して復号化部２０５に与え、かつ、無線受信部２０３からの受信信号からＴＰＣビットを抽出して無線送信部２１１に与える。このＴＰＣビットは、移動局１３０に送信電力の増減を指示する情報を有している。
【００１８】
復号化部２０５は、復調部２０４からの復調信号を復号化して復号化信号を生成してメッセージ解析部２０６に与える。メッセージ解析部２０６は、復号化部２０５からの復号化信号のメッセージを解析して出力部２０７に与え、かつ、復号化部２０５からの復号化信号から報知される既知チャネルの送信電力値及び所要の受信電力値を抽出し、これより送信電力初期値を算出する。また、メッセージ解析部２０６は、復号化信号から送信電力上限値を抽出し、算出した送信電力初期値とともに無線送信部２１１に与える。出力部２０７は、メッセージ解析部２０６からのメッセージを音声又は文字等のデータに変換して出力する。
【００１９】
送信信号生成部２０８は、操作入力装置、またはマイクロフォン等からの入力情報に基づいて送信信号を生成して符号化部２０９に与える。符号化部２０９は、送信信号生成部２０８からの送信信号を符号化して符号化送信信号を生成して変調部２１０に与える。変調部２１０は、符号化部２０９からの符号化送信信号を変調して変調信号を生成して無線送信部２１１に与える。
【００２０】
無線送信部２１１は、変調部２１０からの変調信号に無線送信処理をして変調送信信号を生成して共用器２０２に与える。また、無線送信部２１１は、メッセージ解析部２０６からの送信電力初期値に基づいて送信電力の初期値を決定する。また、無線送信部２１１は、復調部２０４からのＴＰＣビットに基づいて送信電力を増減する。また、無線送信部２１１は、メッセージ解析部２０６からの送信電力上限値に基づいて送信電力値が当該送信電力上限値を越えないように送信電力を制御する。
【００２１】
共用器２０２は、無線送信部２１１からの変調送信信号を受けてアンテナ２０１に与える。アンテナ２０１は、無線送信部２１１からの変調送信信号を共用器２０２を介して受け、無線送信信号として無線基地局１２０に送信する。
【００２２】
次に、本発明の実施の形態１に係る移動通信システム１００の移動局１３０の無線送信部２１１について、図面を参照して詳細に説明する。
【００２３】
図３は、本発明の実施の形態１に係る移動通信システム１００の移動局１３０の無線送信部２１１の構成を詳細に示すブロック図である。
【００２４】
図３に示すように、無線送信部２１１は、可変利得増幅器３０１、ミキサ３０２、可変利得増幅器３０３、電力増幅器３０４、カウンタ３０５、リミッタ３０６及び制御部３０７を具備している。
【００２５】
可変利得増幅器３０１は、変調部２１０からの変調信号を受けて増幅してミキサ３０２に与える。ミキサ３０２は、可変利得増幅器３０１で増幅した変調信号の周波数を所定の周波数に変換し、周波数変換により得られた変調送信信号を可変利得増幅器３０３に与える。可変利得増幅器３０３は、ミキサ３０２からの変調送信信号を増幅して電力増幅器３０４に与える。電力増幅器３０４は、可変利得増幅器３０３からの変調送信信号の送信電力を増幅し、共用器２０２を介してアンテナ２０１に与える。
【００２６】
制御部３０７は、可変利得増幅器３０１、３０３の利得を制御することにより変調送信信号（送信信号）の送信電力を制御する。カウンタ３０５は、メッセージ解析部２０６からの送信電力初期値を受けてカウント値（送信電力指示値）の初期値としてセットする。また、カウンタ３０５は、復調部２０４からのＴＰＣビットに基づいてカウント値（送信電力指示値）を増減する。カウント値（送信電力指示値）はリミッタ３０６に出力される。
【００２７】
リミッタ３０６は、カウンタ３０５から入力されたカウント値（送信電力指示値）がメッセージ解析部２０６からの送信電力上限値を越えないように制限を加え、これを送信電力指示値として制御部３０７に与える。制御部３０７は、リミッタ３０６からの送信電力指示値に基づいて可変利得増幅器３０１、３０３の利得を制御することにより送信電力値が当該送信電力上限値を越えないように送信電力を制御する。
【００２８】
なお、本発明の実施の形態１に係る移動通信システム１００の移動局１３０の無線送信部２１１は、ミキサ３０２を削除し、かつ、直接に無線周波数に変調するように構成されてもよい。
【００２９】
また、本発明の実施の形態１に係る移動通信システム１００の移動局１３０の無線送信部２１１では、ミキサ３０２の前後に送信電力を制御する可変増幅器を配備したが、どちらか一方に配備する構成でも良い。
【００３０】
（実施の形態２）
次に、本発明の実施の形態２について、図面を参照して詳細に説明する。
【００３１】
図４は、本発明の実施の形態２に係る移動通信システムの無線送信部の構成を示すブロック図である。本発明の実施の形態２においては、本発明の実施の形態１と同じ構成要素には同じ参照符合が付されてそれらの説明が省略される。
【００３２】
図４に示すように、本発明の実施の形態２に係る移動通信システム４００は、本発明の実施の形態１に係る移動通信システム１００において無線送信部２１１の代わりに無線送信部４１０を具備している。本発明の実施の形態２に係る移動通信システム４００の無線送信部４１０は、本発明の実施の形態１に係る移動通信システム１００の無線送信部２１１においてリミッタ３０６の代わりに比較器４１１を有し、かつ、制御部３０７の代わりに制御部４１２を有している。
【００３３】
比較器４１１は、カウンタ３０５のカウント値（送信電力値）とメッセージ解析部２０６からの送信電力上限値とを比較して小さい方を比較結果信号として制御部４１２に与える。
【００３４】
制御部４１２は、比較器４１１からの比較結果信号に基づいて送信電力値が当該送信電力上限値を越えないように送信電力制御信号を生成して、当該送信電力制御信号に基づいて可変利得増幅器３０１、３０３の利得を制御することにより変調送信信号（送信信号）の送信電力を制御する。
【００３５】
（実施の形態３）
次に、本発明の実施の形態３について、図面を参照して詳細に説明する。
【００３６】
図５は、本発明の実施の形態３に係る移動通信システムの無線送信部の構成を示すブロック図である。本発明の実施の形態３においては、本発明の実施の形態１と同じ構成要素には同じ参照符合が付されてそれらの説明が省略される。
【００３７】
図５に示すように、本発明の実施の形態３に係る移動通信システム５００は、本発明の実施の形態１に係る移動通信システム１００において無線送信部２１１の代わりに無線送信部５１０を具備している。本発明の実施の形態３に係る移動通信システム５００の無線送信部５１０は、本発明の実施の形態１に係る移動通信システム１００の無線送信部２１１においてリミッタ３０６を削除し、かつ、制御部３０７の代わりに制御部５１１を有している。
【００３８】
制御部５１１は、カウンタ３０５からのカウント値（送信電力指示値）を受ける。制御部５１１は、カウンタ３０５からのカウント値の初期値を受けて送信電力の初期値を決定して可変利得増幅器３０１、３０３の利得を制御することにより変調送信信号（送信信号）の送信電力の初期値を制御する。また、制御部５１１は、ＴＰＣビットにより増減されるカウンタ３０５のカウント値（送信電力指示値）に基づいて可変利得増幅器３０１、３０３の利得を制御することにより変調送信信号（送信信号）の送信電力を制御する。
【００３９】
また、制御部５１１は、メッセージ解析部２０６からの送信電力上限値と、カウンタ３０５のカウント値（送信電力指示値）と、を比較して、送信電力値が当該送信電力上限値を越えないように送信電力制御信号を生成して、当該送信電力制御信号に基づいて可変利得増幅器３０１、３０３の利得を制御することにより変調送信信号（送信信号）の送信電力を制御する。
【産業上の利用可能性】
【００４０】
本発明は、移動局の送信信号による他の電子機器への障害を防止することができる効果を有する移動通信システム及び送信電力制御方法であり、電波による電子機器の誤動作を防止するのに有用である。
【図面の簡単な説明】
【００４１】
【図１】本発明の実施の形態１に係る移動通信システムの構成を示すブロック図
【図２】本発明の実施の形態１に係る移動通信システムの移動局の構成を詳細に示すブロック図
【図３】本発明の実施の形態１に係る移動通信システムの移動局の無線送信部の構成を詳細に示すブロック図
【図４】本発明の実施の形態２に係る移動通信システムの無線送信部の構成を示すブロック図
【図５】本発明の実施の形態３に係る移動通信システムの無線送信部の構成を示すブロック図
【符号の説明】
【００４２】
１００、４００、５００  移動通信システム
１１０  無線基地局制御装置
１２０  無線基地局
１２１  送信電力上限値通知部
１３０  移動局
２０１  アンテナ
２０２  共用器
２０３  無線受信部
２０４  復調部
２０５  復号化部
２０６  メッセージ解析部
２０７  出力部
２０８  送信信号生成部
２０９  符号化部
２１０  変調部
２１１、４１０、５１０  無線送信部
【図１】
2006262158.tif 000003
【図２】
2006262158.tif 000004
【図３】
2006262158.tif 000005
【図４】
2006262158.tif 000006
【図５】
2006262158.tif 000007